(57)【要約】【課題】  ＣＤ−ＲＷディスクのような最大記録速度が明示された相変化型光ディスクへ高品質、高速度で記録できる情報記録装置を提供する。【解決手段】  高速記録に対応した相変化型光ディスクにおいて、実際に情報を記録しようとする速度でＯＰＣをすることとし、パワーマージンの少ない高速相変化型光ディスクの最適な記録パワーを決定することができ、高品質かつ高速度で記録ができるようにする。【選択図】  図１
2005063539.tif 000002
【特許請求の範囲】
【請求項１】
ディスク状記録媒体の円周方向に、ほぼ一定な線密度で情報を書き込む情報記録装置であって、
周期Ｔのチャネルクロックに基づく記録変調方式に従った、データ長ｎＴ（ｎは１以上の整数）の期間を複数個の加熱パルスと冷却パルスとの組み合わせによるマルチパルス列によりレーザ光源を変調発光させて、記録媒体上にレーザ光を照射して前記記録変調方式に基づいたマークまたはスペースを形成することで情報を記録する情報記録手段と、
情報を記録しようとする場合に、記録するためのパワーを可変して光ディスクの所定のテストエリアに記録を行い、前記所定のテストエリアの再生信号から得た特性値に基づき最適記録パワーを設定する記録パワーキャリブレーション手段と、
情報を記録しようとする光ディスクの所定の位置に所定のフォーマットで設定される当該光ディスクの最大記録速度を読み取る記録速度読取手段と、
読み取った最大記録速度が、所定のテストエリアにおいて記録パワーキャリブレーション手段を行うことのできる最大速度よりも大きい場合には、所定のテストエリアではなく光ディスクの最大記録速度で記録が可能となるエリアにおいて記録パワーキャリブレーションを行うパワーキャリブレーション手段と、
を有することを特徴とする情報記録装置。
【請求項２】
請求項１の情報記録装置において、パワーキャリブレーションを実行する場合に、記録パワーだけでなく、データ長に対する記録のためのマルチパルスに関するパルスパターンも変化させてテスト記録し、該記録の再生信号から最適に記録するためのパラメータを決定することを特徴とする情報記録装置。
【請求項３】
請求項１または２の情報記録装置において、所定のテストエリアではないテスト記録されたエリアを、テスト記録後に消去するためのレーザ発光をもって消去することを特徴とする情報記録装置。
【請求項４】
請求項１乃至３の何れかの情報記録装置において、所定のテストエリアでないエリアでのテスト記録は、当該光ディスクをマウント後、記録のための命令が来るより以前に行うことを特徴とする情報記録装置。
【請求項５】
請求項１乃至４の何れかの情報記録装置において、所定のテストエリアでないテスト記録のエリアにテスト記録する場合に、当該テスト記録エリアにデータが書かれているか否かを判断する書込み判断手段を有し、当該エリアに情報が既に記録済の場合には既記録情報を一旦保持し、テスト記録終了後に所定の位置に再度記録しておくことを特徴とする情報記録装置。
【請求項６】
ディスク状記録媒体の円周方向に、ほぼ一定な線密度で情報を書き込む情報記録方法であって、
周期Ｔのチャネルクロックに基づく記録変調方式に従った、データ長ｎＴ（ｎは１以上の整数）の期間を複数個の加熱パルスと冷却パルスとの組み合わせによるマルチパルス列によりレーザ光源を変調発光させて、記録媒体上にレーザ光を照射して前記記録変調方式に基づいたマークまたはスペースを形成することで情報を記録するステップと、
情報を記録しようとする場合に、記録するためのパワーを可変して光ディスクの所定のテストエリアに記録を行い、前記所定のテストエリアの再生信号から得た特性値に基づき最適記録パワーを設定する記録パワーキャリブレーションステップと、
情報を記録しようとする光ディスクの所定の位置に所定のフォーマットで設定される当該光ディスクの最大記録速度を読み取るステップと、
読み取った最大記録速度が、所定のテストエリアにおいて記録パワーキャリブレーション手段を行うことのできる最大速度よりも大きい場合には、所定のテストエリアではなく光ディスクの最大記録速度で記録が可能となるエリアにおいて記録パワーキャリブレーションを行うステップと、
を有することを特徴とする情報記録方法。
【発明の詳細な説明】
【技術分野】
【０００１】
本発明は、ディスク状記録媒体の円周方向に、ほぼ一定な線密度で情報を書き込む情報記録装置及び情報記録方法に関する。
【背景技術】
【０００２】
近年、パーソナルコンピュータは、その機能が向上するに伴い、音楽や映像といったＡＶ（Audio-Visual）情報を取り扱うことが可能となってきた。これらＡＶ情報の情報量は非常に大きいために、情報記録媒体としてＣＤ（Compact Disc）やＤＶＤ（Digital Versatile Disc）などの光ディスクが注目されるようになり、その低価格化とともに、情報記録装置としての光ディスク装置がパーソナルコンピュータの周辺機器の一つとして普及するようになった。
光ディスク装置では、光ディスクのスパイラル状又は同心円状のトラックが形成された記録面にレーザ光の微小スポットを照射することにより情報の記録及び消去を行い、記録面からの反射光に基づいて情報の再生などを行っている。そして、光ディスク装置には、情報記録媒体の記録面にレーザ光を照射するとともに、記録面からの反射光を受光するために、光ピックアップ装置が設けられている。
通常、光ピックアップ装置は、レーザ光を所定の発光パワー（出力）で出射する光源、その光源から出射されるレーザ光を情報記録媒体の記録面に導くとともに、記録面で反射されたレーザ光を所定の受光位置まで導く光学系、及びその受光位置に配置された受光素子などを備えている。例えば、特許文献１には、２Ｔ周期で相変化マルチパルスを生成するストラテジ方式に関する技術が提案されている。
【０００３】
【特許文献１】特開平０９−１３４５２５号公報
【発明の開示】
【発明が解決しようとする課題】
【０００４】
マルチメディアの普及に伴い、音楽用ＣＤやＣＤ−ＲＯＭ等の再生専用メディアや光情報再生装置が実用化されている。最近では、色素系メディアを用いた追記型光ディスクや、光磁気メディアを用いた書き換え可能なＭＯ（Magnetic Optical）ディスクや相変化型メディアなどが注目されている。また、レーザ光源としての半導体レーザの短波長化や高ＮＡ対物レンズによるスポット径の小径化や薄型基盤の採用などにより、ＤＶＤ−ＲＯＭ、ＤＶＤ−Ｒ（Recordable）、ＤＶＤ−ＲＡＭ、ＤＶＤ−ＲＷ（Rewritable）等の大容量ディスクが実用化されている。
何れの光ディスクの場合にも、情報を記録する上では、半導体レーザを光源とする光ピックアップ光学系を含む光情報記録再生装置が用いられるが、ＣＤ−Ｒなどの一般的なＣＤ系に対する一般的な記録波形としては、単パルス記録波形が用いられる。ここでは、データ変調方式として図２（ａ）、（ｂ）に示すようなＥＦＭ（Eight to Fourteen Modulation）パルス変調コードを用いてマークエッジ記録を行う例を示し、形成されるマーク領域とスペース領域とのデータ長は３Ｔ〜１４Ｔ（Ｔは記録チャネルクロックの１周期）とされている。
この単パルス記録方式は、蓄熱により記録マークが涙状に歪を生じたりするため、記録パワーのレベルを２値化したり、短データの加熱パルス（短パルス）の後エッジを補正したり等の補正を併用してマークエッジ記録を実現するようにしている。このようなマークエッジ記録では、記録マークの前後両エッジに情報を持たせるため、単パルス記録と行うと、蓄熱の影響を除去しきれないため大容量記録は困難である。
このようなことから、高速のＣＤ−ＲＷのような相変化型メディアに情報を記録するためのレーザ発光波形規則（以下、適宜“ストラテジ”という）としては、図２（ｃ）に示すような加熱パルスと冷却パルスとの組み合わせによるマルチパルス列記録波形が用いられる。これにより、加熱パルス・冷却パルスのデューティを調整することで適正な記録パワーを持たせながら、蓄熱の影響を簡易に防止でき、記録マークの前後両エッジのシフトを低減させることができる。
【０００５】
一方、記録速度が高速になるにつれて、マルチパルスの時間間隔が短くなり、パワーコントロールが困難になってきた。そこで、ＣＤ−ＲＷの例を見ると、高速記録の際のマルチパルス列を、ＥＦＭ変調された１Ｔより長い間隔でパルス制御することで、パワーコントロールを容易に実現し、相変化に必要とする瞬間的な熱量（すなわち、発光パワー）を少なく抑えることで高速記録を実現している。
特に、特開平０９−１３４５２５に示すような、偶数Ｔにおける加熱パルス数をｎ／２として、奇数Ｔにおける加熱パルス数を（ｎ−１）／２となるマルチパルスを２Ｔストラテジ［図２（ｄ）］と呼び、ＣＤ−ＲＷの高速記録においては一般的である。また、従来のマルチパルスを１Ｔストラテジ［図２（ｃ）］と呼ぶ。
しかし、相変化型のディスクの場合、異なる情報記録装置によって追記や上書きが容易になされる。このような場合、情報記録装置の種類や特性によって、記録されるパルスストラテジや記録線速が大きく違うことがある。なかでも、低線速において２Ｔパルスストラテジで書いた後、高線速において１Ｔパルスストラテジで上書きする、またはその逆のケースでは著しく記録品質が悪くなることが一般的に知られている。
【０００６】
一般的なパワーキャリブレーションの方法を以下に説明する。光ディスクの記録面上には、各種データを記録するためのデータエリア、レーザ光の最適パワーを検出するためのテスト記録領域（ＰＣＡ：Power Calibration Area）等が設けられている。ＣＤにおけるＰＣＡはテストエリアとカウントエリアとからなるものであり、テストエリアは１００個のパーティションから構成され、それぞれのパーティションは１５個のフレームで構成されている。
１回のＯＰＣ動作では前記パーティションの１つが使用されるようになっており、これらパーティションの各々に含まれる１５個のフレームに対して少なくとも２つ以上のレーザパワーでテスト記録すると共に、それぞれのフレーム内のテスト信号を再生し、この再生信号と目標としている値とを比較して、両者が一致した段階のレーザパワーを最適パワーとして検出する。データエリアに対する情報の記録動作は、以上のようなＯＰＣ動作によって検出された最適パワーによって行われる。
最近の相変化型光ディスクでは、そのＡＴＩＰと呼ばれるプリフォーマットされた情報にそのディスクの最高記録速度を定義するようにされている。しかし、一般的にその最高速度は、ＯＰＣ動作を行うべき内周部での速度より高速になっている。そこで、情報記録装置は速度の遅い内周でＯＰＣ動作を行い、実際に記録する高速度のレーザパワーを補正して決定することで、ディスクへの高速記録を実現している。
しかし最近の高速記録向けの相変化型光ディスクにおいては、実際の記録速度における最適パワーのずれに対する記録品質の劣化が著しく、すなわち実際の記録速度に対する最適記録パワーのマージンが少ないので、異なる線速度で記録するとその最適パワーの補正の仕方や補正時の誤差によって、記録エラーを起こしたり、記録後に再生できないなどの問題が発生することがある。
そこで本発明は、ＣＤ−ＲＷディスクのような最大記録速度が明示された相変化型光ディスクへ高品質、高速度で記録できる情報記録装置及び情報記録方法を提供することを目的とする。
【課題を解決するための手段】
【０００７】
上記目的を達成するために、請求項１記載の発明は、ディスク状記録媒体の円周方向に、ほぼ一定な線密度で情報を書き込む情報記録装置であって、周期Ｔのチャネルクロックに基づく記録変調方式に従った、データ長ｎＴ（ｎは１以上の整数）の期間を複数個の加熱パルスと冷却パルスとの組み合わせによるマルチパルス列によりレーザ光源を変調発光させて、記録媒体上にレーザ光を照射して前記記録変調方式に基づいたマークまたはスペースを形成することで情報を記録する情報記録手段と、情報を記録しようとする場合に、記録するためのパワーを可変して光ディスクの所定のテストエリアに記録を行い、前記所定のテストエリアの再生信号から得た特性値に基づき最適記録パワーを設定する記録パワーキャリブレーション手段と、情報を記録しようとする光ディスクの所定の位置に所定のフォーマットで設定される当該光ディスクの最大記録速度を読み取る記録速度読取手段と、読み取った最大記録速度が、所定のテストエリアにおいて記録パワーキャリブレーション手段を行うことのできる最大速度よりも大きい場合には、所定のテストエリアではなく光ディスクの最大記録速度で記録が可能となるエリアにおいて記録パワーキャリブレーションを行うパワーキャリブレーション手段と、を有することを特徴とする。
請求項１記載の発明によれば、高速記録に対応した相変化型光ディスクにおいて、実際に情報を記録しようとする速度でＯＰＣをすることとしたので、パワーマージンの少ない高速相変化型光ディスクの最適な記録パワーを決定することができ、高品質かつ高速度で記録ができる。
請求項２記載の発明は、請求項１の情報記録装置において、パワーキャリブレーションを実行する場合に、記録パワーだけでなく、データ長に対する記録のためのマルチパルスに関するパルスパターンも変化させてテスト記録し、該記録の再生信号から最適に記録するためのパラメータを決定する情報記録装置を主要な特徴とする。
請求項２記載の発明によれば、請求項１の効果に加え、高速記録に対応した相変化型光ディスクにおいて、実際に情報を記録しようとする速度でＯＰＣをし、かつ、記録ストラテジも最適化することとしたので、パワーマージンの少ない高速相変化型光ディスクの最適な記録パワーを決定することができ、さらに高品質な記録ストラテジで高速度で記録ができる。
【０００８】
請求項３記載の発明は、請求項１または２の情報記録装置において、所定のテストエリアではないテスト記録されたエリアを、テスト記録後に消去するためのレーザ発光をもって消去する情報記録装置を主要な特徴とする。
請求項３記載の発明によれば、請求項１、２の効果に加え、高速記録に対応した相変化型光ディスクにおいて、実際に情報を記録しようとする速度でＯＰＣをした後で消去することとしたので、テスト記録に使用したエリアにも、高品質に情報を記録することができる。
請求項４記載の発明は、請求項１乃至３の何れかの情報記録装置において、所定のテストエリアでないエリアでのテスト記録は、当該光ディスクをマウント後、記録のための命令が来るより以前に行う情報記録装置を主要な特徴とする。
請求項４記載の発明によれば、請求項１〜３の効果に加え、高速記録に対応した相変化型光ディスクにおいて、ライト命令が来る前に最高速領域でテスト記録することとしたので、実記録の時に余剰な時間をかけることなく、高品質に情報を記録することができる。
請求項５記載の発明は、請求項１乃至４の何れかの情報記録装置において、所定のテストエリアでないテスト記録のエリアにテスト記録する場合に、当該テスト記録エリアにデータが書かれているか否かを判断する書込み判断手段を有し、当該エリアに情報が既に記録済の場合には既記録情報を一旦保持し、テスト記録終了後に所定の位置に再度記録しておくことを特徴とする。
請求項５記載の発明によれば、請求項１〜４の効果に加え、高速記録に対応した相変化型光ディスクにおいて、高速度でのテスト記録をしようとしたエリアの情報を誤って消去することなく、高品質に情報を記録することができる。
【０００９】
請求項６記載の発明は、ディスク状記録媒体の円周方向に、ほぼ一定な線密度で情報を書き込む情報記録方法において、周期Ｔのチャネルクロックに基づく記録変調方式に従った、データ長ｎＴ（ｎは１以上の整数）の期間を複数個の加熱パルスと冷却パルスとの組み合わせによるマルチパルス列によりレーザ光源を変調発光させて、記録媒体上にレーザ光を照射して前記記録変調方式に基づいたマークまたはスペースを形成することで情報を記録するステップ、情報を記録しようとする場合に、記録するためのパワーを可変して光ディスクの所定のテストエリアに記録を行い、前記所定のテストエリアの再生信号から得た特性値に基づき最適記録パワーを設定する記録パワーキャリブレーションステップ、情報を記録しようとする光ディスクの所定の位置に所定のフォーマットで設定される当該光ディスクの最大記録速度を読み取るステップ、読み取った最大記録速度が、所定のテストエリアにおいて記録パワーキャリブレーション手段を行うことのできる最大速度よりも大きい場合には、所定のテストエリアではなく光ディスクの最大記録速度で記録が可能となるエリアにおいて記録パワーキャリブレーションを行うステップを有する情報記録方法を最も主要な特徴とする。
請求項６記載の発明によれば、高速記録に対応した相変化型光ディスクにおいて、実際に情報を記録しようとする速度でＯＰＣをすることとしたので、パワーマージンの少ない高速相変化型光ディスクの最適な記録パワーを決定することができ、高品質かつ高速度で記録ができる。
【発明の効果】
【００１０】
請求項１、６記載の発明によれば、高速記録に対応した相変化型光ディスクにおいて、実際に情報を記録しようとする速度でＯＰＣをすることとしたので、パワーマージンの少ない高速相変化型光ディスクの最適な記録パワーを決定することができ、高品質かつ高速度で記録ができる。
請求項２記載の発明によれば、請求項１の効果に加え、高速記録に対応した相変化型光ディスクにおいて、実際に情報を記録しようとする速度でＯＰＣをし、かつ、記録ストラテジも最適化することとしたので、パワーマージンの少ない高速相変化型光ディスクの最適な記録パワーを決定することができ、さらに高品質な記録ストラテジで高速度で記録ができる効果がある。
請求項３記載の発明によれば、請求項１、２の効果に加え、高速記録に対応した相変化型光ディスクにおいて、実際に情報を記録しようとする速度でＯＰＣをした後で消去することとしたので、テスト記録に使用したエリアにも、高品質に情報を記録することができる効果がある。
請求項４記載の発明によれば、請求項１〜３の効果に加え、高速記録に対応した相変化型光ディスクにおいて、ライト命令が来る前に最高速領域でテスト記録することとしたので、実記録の時に余剰な時間をかけることなく、高品質に情報を記録することができる効果がある。
請求項５記載の発明によれば、請求項１〜４の効果に加え、高速記録に対応した相変化型光ディスクにおいて、高速度でのテスト記録をしようとしたエリアの情報を誤って消去することなく、高品質に情報を記録することができる効果がある。
【発明を実施するための最良の形態】
【００１１】
以下、本発明の実施の形態を図面に従って説明する。
本発明の請求項１、６の発明に対応する第１の実施の形態を図１、図２に基づいて説明する。本実施の形態は、ＣＤ−ＲＷフォーマットのコードデータを、相変化型メディア（例えば、相変化型光ディスク）の記録層に記録（オーバライト）し、或いは、色素系メディア（例えば、色素系光ディスク）に記録（追記）する光情報記録再生装置及び情報記録方法の例であり、データ変調方式としてＥＦＭ変調コードを用いてマークエッジ記録を行う例とする。即ち、本実施の形態では、このようなメディアと記録データとを用いて、半導体レーザをマルチパルス発光させて記録マークを形成することにより情報の記録を行う。
図１にその光情報記録再生装置の基本的な構成例を示す。半導体レーザ駆動回路１により駆動されるレーザ光源としての半導体レーザ２から出射されたレーザ光はコリメートレンズ３、ビームスプリッタ４を経た後、対物レンズ５により光ディスク媒体６上に集光照射され、情報の記録、再生或いは試し書きに供される。
光ディスク媒体６からの反射光は再び対物レンズ５を通った後、ビームスプリッタ４により入射光と分離され、検出レンズ７を経て受光素子８に結像される。受光素子８による検出信号はヘッドアンプ９を介してコントローラ１０中に再生信号（ＲＦ信号）等として取り込まれる。このコントローラ１０は半導体レーザ駆動回路１の制御も受け持つ。
これにより、基本的には、記録時にこのコントローラ１０によりＥＦＭ変調コードからなる記録データに基づいたパルス制御信号を生成し、半導体レーザ駆動回路１でそのパルス制御信号に応じた駆動電流により半導体レーザ２を駆動させることで、図２で説明したようなマルチパルスの光を発光させ、スピンドルモータにより回転中の光ディスク媒体６の記録層に集光照射させることで、光ディスク媒体６に記録マークを形成し情報の記録を行う。なお、ここでは、周期Ｔのチャネルクロックに基づく記録変調方式に従った、データ長ｎＴ（ｎは１以上の整数）の期間を複数個の加熱パルスと冷却パルスとの組み合わせによるマルチパルス列によりレーザ光源を変調発光させて、記録媒体上にレーザ光を照射して前記記録変調方式に基づいたマークまたはスペースを形成することで情報を記録する。
再生時には、半導体レーザ駆動回路１により半導体レーザ２を駆動して再生パワー（リードパワー）で発光させ、スピンドルモータにより回転中の光ディスク媒体６の記録層に集光照射させ、その反射光を受光素子８で受光して光電変換し、ヘッドアンプ９で増幅して再生信号（ＲＦ信号）を得る。
【００１２】
図２に記録データとそれに基づいたパルス制御信号の例を示す。記録データは、チャネルクロック（ａ）に同期させてＥＦＭ変調（ｂ）される。ＥＦＭ変調されたパルス（ｂ）は、ストラテジパターンに基づいて、マルチパルス化されたパルス制御信号（ｃ、ｄ）として出力される。
１Ｔパルスストラテジ（ｃ）はＣＤ−ＲＷのような相変化型ディスクへの比較的遅い（一般的には１６倍速程度以下）線速での書き込みに用いられ、２Ｔパルスストラテジ（ｄ）は相変化型ディスクへの高線速（２０倍速を超えるような）での書き込みに用いられる。
図３にＣＤ−ＲＷディスクにおけるＡＴＩＰにプリフォーマットされた情報の一部を示す。プリフォーマットされた情報には、他にもディスクの種類やストラテジ情報なども含まれるが、ここでは説明を割愛する。図３に示すように高速記録に対応したＣＤ−ＲＷディスクにおいては、Additional Information２のエリアにそのディスクに記録が可能な最高速度を表すビットがある。情報記録装置は、光ディスクをマウントする際に、当該情報を読み取り、マウントした光ディスクの最高記録速度を知ることができる。
【００１３】
図４は光ディスクの記録面フォーマットの説明図である。光ディスクの記録面は、データエリア１１と内周部に最適記録パワー値を求める時の試し書きのためのパワーキャリブレーションエリア（ＰＣＡ）１２からなる。前記ＰＣＡ１２はテストエリア１３とカウントエリア１４とからなるものであり、テストエリアは１００個のパーティションから構成され、それぞれのパーティションは１５個のフレームで構成されている。
一般的には、１回のＯＰＣ動作で前記パーティションの１つが使用されるようになっており、これらパーティションの各々に含まれる１５個のフレームに対して少なくとも２つ以上のレーザパワーでテスト記録（１５）すると共に、それぞれのフレーム内のテスト信号を再生し、この再生信号の特性値（この特性値を以下βと呼ぶ）と目標としている値とを比較して、両者が一致した段階のレーザパワーを最適パワーとして検出する。
しかし、実際に情報記録装置が光ディスクに情報を記録しようとした場合に、光ディスクから得た最高記録速度で、ＯＰＣ動作を行い記録を行うことは困難である。ＡＴＩＰにプリフォーマットされる最高速度である、２４倍や３２倍でＰＣＡなるテストエリアに記録動作を行うことが、ディスク回転モータの限界やサーボ制御の限界などから不可能だからである。
そのため、実際には、ＰＣＡなるテストエリアにて回転制御可能な速度にてＯＰＣ動作を行い、３２倍速で記録しようとするときには、この値から換算した記録パワーを設定する。
このような記録パワー決定方法は、記録する光ディスクへの記録パワーずれに対する記録品質の劣化の度合い（記録パワーマージン）が少ない時はあまり問題にならない。しかし、高速対応の相変化型光ディスクのような記録パワーマージンが少ないディスクにおいては有効ではない。
図５は高速記録対応の光ディスクの記録動作に係るシーケンスを図示したものである。図５に示すように、情報記録装置は光ディスクをマウント（Ｓ１）し、ＡＴＩＰにプリフォーマットされた情報を得ることで光ディスクの最大記録速度を取得（Ｓ２）する。
ＨＯＳＴ（ホスト）からの命令で情報を記録しようとした時（Ｓ３）に、ＯＰＣ動作が可能な最大速度と情報を記録しようとする光ディスクの最大記録速度を比較する（Ｓ４）ことで、情報を記録しようとする最大速度の方が、ＯＰＣ動作が可能な最大速度よりも高速の時には、実際に最高速度で記録するエリアにおいて、ＯＰＣ動作を行い（Ｓ５）、さらに内周部でのＯＰＣ動作をする（Ｓ６）ことによって、記録を行うすべての速度の最適記録パワーを取得して、情報の記録を開始する（Ｓ７）。
【００１４】
次に請求項２の発明に対応する第２の実施の形態を図６に基づいて説明する。
図６も同様に、高速記録対応の光ディスクの記録動作に係るシーケンスを図示したものである。図６に示すように、情報記録装置は光ディスクをマウント（Ｓ９）し、ＡＴＩＰにプリフォーマットされた情報を得ることで光ディスクの最大記録速度を取得（Ｓ１０）する。
ＨＯＳＴからの命令で情報を記録しようとした時（Ｓ１１）に、ＯＰＣ動作が可能な最大速度と情報を記録しようとする光ディスクの最大記録速度を比較する（Ｓ１２）ことで、情報を記録しようとする最大速度の方が、ＯＰＣ動作が可能な最大速度よりも高速の時には、実際に最高速度で記録するエリアにおいて、ＯＰＣ動作とあわせて図２に示したストラテジパターンのパルス幅を変えるなどして最適なストラテジパターンも決定する（Ｓ１３）。
さらに内周部でのＯＰＣ動作とストラテジパターンを決定する（Ｓ１４）ことによって、記録を行うすべての速度の最適記録パワー、最適ストラテジパターンを取得して、情報の記録を開始する（Ｓ１５）。
【００１５】
次に請求項３の発明に対応する第３の実施の形態を図７に基づいて説明する。
図７も同様に、高速記録対応の光ディスクの記録動作に係るシーケンスを図示したものである。図７に示すように、情報記録装置は光ディスクをマウント（Ｓ１７）し、ＡＴＩＰにプリフォーマットされた情報を得ることで光ディスクの最大記録速度を取得（Ｓ１８）する。
ＨＯＳＴからの命令で情報を記録しようとした時（Ｓ１９）に、ＯＰＣ動作が可能な最大速度と情報を記録しようとする光ディスクの最大記録速度を比較する（Ｓ２０）ことで、情報を記録しようとする最大速度の方が、ＯＰＣ動作が可能な最大速度よりも高速の時には、実際に最高速度で記録するエリアにおいて、ＯＰＣ動作とあわせて図２に示したストラテジパターンのパルス幅を変えるなどして最適なストラテジパターンも決定する（Ｓ２１）。
次にＰＣＡでないエリアで、テスト記録をしたエリアを消去し（Ｓ２２）、さらに内周部でのＯＰＣ動作とストラテジパターンを決定する（Ｓ２３）ことによって、記録を行うすべての速度の最適記録パワー、最適ストラテジパターンを取得して、情報の記録を開始する（Ｓ２４）。
【００１６】
次に請求項４の発明に対応する第４の実施の形態を図８に基づいて説明する。
図８も同様に、高速記録対応の光ディスクの記録動作に係るシーケンスを図示したものである。図８に示すように、情報記録装置は光ディスクをマウント（Ｓ２６）し、ＡＴＩＰにプリフォーマットされた情報を得ることで光ディスクの最大記録速度を取得（Ｓ２７）する。
この時、ＯＰＣ動作が可能な最大速度と情報を記録しようとする光ディスクの最大記録速度を比較する（Ｓ２８）ことで、情報を記録しようとする最大速度の方が、ＯＰＣ動作が可能な最大速度よりも高速の時には、実際に最高速度で記録するエリアにおいて、ＯＰＣ動作とあわせて図２に示したストラテジパターンのパルス幅を変えるなどして最適なストラテジパターンを決定し（Ｓ２９）、ついでＰＣＡでないエリアで、テスト記録をしたエリアを消去（Ｓ３０）しておく。
こうすることで、ＨＯＳＴからの命令で情報を記録しようとした時（Ｓ３１）には、内周部でのＯＰＣ動作とストラテジパターンを決定する（Ｓ３２）ことによって、記録を行うすべての速度の最適記録パワー、最適ストラテジパターンを取得して、情報の記録を開始する（Ｓ３３）。
【００１７】
次に請求項５の発明に対応する第５の実施の形態を図９に基づいて説明する。
図９も同様に、高速記録対応の光ディスクの記録動作に係るシーケンスを図示したものである。図９に示すように、情報記録装置は光ディスクをマウント（Ｓ３５）し、ＡＴＩＰにプリフォーマットされた情報を得ることで光ディスクの最大記録速度を取得（Ｓ３６）する。
この時、ＯＰＣ動作が可能な最大速度と情報を記録しようとする光ディスクの最大記録速度を比較する（Ｓ３７）ことで、情報を記録しようとする最大速度の方が、ＯＰＣ動作が可能な最大速度よりも高速の時には、実際に最高速度で記録するエリアをチェックする（Ｓ３８）。
当該テスト記録エリアにデータが存在する場合には、そのデータを一旦、別の領域に移しておいて（Ｓ３９）、ＯＰＣ動作と併せて図２に示したストラテジパターンのパルス幅を変えるなどして最適なストラテジパターンを決定し（Ｓ４０）、ついでテスト記録をしたエリアのデータを再度記録しておく（Ｓ４１）。
一方、データが存在しなかった場合には、実際に最高速度で記録するエリアにおいて、ＯＰＣ動作と併せて図２に示したストラテジパターンのパルス幅を変えるなどして最適なストラテジパターンを決定し（Ｓ４２）、ついでＰＣＡでないエリアで、テスト記録をしたエリアを消去（Ｓ４３）しておく。
こうすることで、ＨＯＳＴからの命令で情報を記録しようとした時（Ｓ４４）には、内周部でのＯＰＣ動作とストラテジパターンを決定する（Ｓ４５）ことによって、記録を行うすべての速度の最適記録パワー、最適ストラテジパターンを取得して、情報の記録を開始する（Ｓ４６）。なお、上記図５−図９に示した各記録動作は、図１に示したコントローラ１０の制御に基ずいて実行される。
【図面の簡単な説明】
【００１８】
【図１】光情報記録再生装置の基本的な構成図である。
【図２】記録データとそれに基づいたパルス制御信号の例を示す図である。
【図３】ＣＤ−ＲＷディスクにおけるＡＴＩＰにプリフォーマットされた情報の一部を示す図である。
【図４】光ディスクの記録面フォーマットの説明図である。
【図５】高速記録対応の光ディスクの記録動作に係る第１のシーケンス例を示す図である。
【図６】高速記録対応の光ディスクの記録動作に係る第２のシーケンス例を示す図である。
【図７】高速記録対応の光ディスクの記録動作に係る第３のシーケンス例を示す図である。
【図８】高速記録対応の光ディスクの記録動作に係る第４のシーケンス例を示す図である。
【図９】高速記録対応の光ディスクの記録動作に係る第５のシーケンス例を示す図である。
【符号の説明】
【００１９】
１  半導体レーザ駆動回路
２  半導体レーザ
３  コリメートレンズ
４  ビームスプリッタ
５  対物レンズ
６  光ディスク媒体
７  検出レンズ
８  受光素子
９  ヘッドアンプ
１０  コントローラ
【図１】
2005063539.tif 000003
【図２】
2005063539.tif 000004
【図３】
2005063539.tif 000005
【図４】
2005063539.tif 000006
【図５】
2005063539.tif 000007
【図６】
2005063539.tif 000008
【図７】
2005063539.tif 000009
【図８】
2005063539.tif 000010
【図９】
2005063539.tif 000011